(57)【特許請求の範囲】
【請求項１】
受信画像を記録手段により所定サイズの記録紙に記録出力するに際して、前記受信画像のサイズが前記記録紙サイズに記録可能なサイズを超えていると、前記受信画像のサイズに応じて、画像処理手段により前記受信画像の縮小処理あるいは分割処理を施して、前記記録手段により前記記録紙に記録出力させるファクシミリ装置において、
前記縮小または分割処理を禁止する特定の相手先の電話番号等の相手先情報を記憶する相手先記憶手段と、着信時、相手先の電話番号等の相手先情報を取得する相手先情報取得手段と、前記相手先情報取得手段の取得した前記相手先情報が前記相手先記憶手段に登録されていると、前記受信画像の画像サイズに関わらず、前記縮小処理または前記分割処理を禁止して、前記記録手段により前記受信画像を前記記録紙に記録出力させる制御手段と、を備えたことを特徴とするファクシミリ装置。
【請求項２】
前記相手先記憶手段は、前記相手先情報とともに当該相手先からの前記受信画像を記憶する記録紙サイズをも設定登録可能であり、前記制御手段は、着信時、前記相手先情報取得手段の取得した前記相手先情報が、前記相手先記憶手段に前記記録紙サイズの設定された相手先として登録されていると、前記受信画像の画像サイズに関わらず、前記記録手段により当該登録されている記録紙サイズの前記記録紙に前記受信画像を等倍で記録出力させることを特徴とする請求項１記載のファクシミリ装置。
【請求項３】
前記ファクシミリ装置は、付加情報を前記受信画像に付加する付加手段を、さらに備え、前記相手先記憶手段は、前記相手先情報とともに前記付加情報の前記受信画像への付加を禁止する付加情報付加禁止情報をも設定登録可能であり、前記制御手段は、着信時、前記相手先情報取得手段の取得した前記相手先情報が前記相手先記憶手段に前記付加情報付加禁止情報の設定された相手先として登録されていると、前記付加手段による前記受信画像への前記付加情報の付加処理を禁止し、前記記録手段により当該付加情報の付加されていない前記受信画像を等倍で前記記録紙に記録出力させることを特徴とする請求項１または請求項２記載のファクシミリ装置。
【発明の詳細な説明】
【０００１】
【発明の属する技術分野】
本発明は、ファクシミリ装置に関し、詳細には、特定相手先からの受信画像を記録紙に合わせて縮小処理及び分割処理して記録出力することを禁止するファクシミリ装置に関する。
【０００２】
【従来の技術】
ファクシミリ装置においては、受信画像をオリジナル原稿（送信側の原稿）の画像を忠実に再現して記録紙に記録出力することが望まれるが、記録紙としてカット紙を使用している場合、受信画像のサイズが、ファクシミリ装置に備えられている記録紙のサイズよりも大きい場合や同じサイズの画像であっても縦書きと横書きのように方向が異なっているときには、受信画像をそのまま記録紙に記録出力することができない。
【０００３】
そこで、従来のファクシミリ装置においては、受信画像が記録紙サイズよりも大きい場合には、受信画像を縮小して記録紙に記録出力したり（特開平７−２４４５６６号公報参照）、長尺の受信画像を複数ページに分割して記録紙に記録出力することが行われている。また、送信側のファクシミリ装置で、受信側の記録紙サイズに合わせて画像を縮小して送信し、受信側のファクシミリ装置は、そのまま受信画像を記録紙に記録出力することが行われている。
【０００４】
ところが、受信画像データのライン数が記録紙の記録可能領域を超えているときに、常に画像を縮小したり、分割して、記録すると、元原稿の画像とは異なったものとなり、受信画像の品質が劣化するだけでなく、分割する場合には、記録紙が無駄になることがある。
【０００５】
そこで、従来、受信画像データ量が所定値よりも多く、超過分が白ラインのみのときには、超過分の記録を省略するファクシミリ装置が提案されている（特開平７−２８３９３４号公報参照）。
【０００６】
【発明が解決しようとする課題】
しかしながら、このような従来のファクシミリ装置にあっては、記録紙に記録しきれない受信が情報量が所定値よりも多く、超過分が白ラインのみのときに、超過分の記録を省略するようになっていたため、超過部分に線や枠等がある場合には、当該線や枠等が不必要な情報であっても、省略されることなく、画像の分割や縮小が行われ、画像品質が劣化するという問題があった。
【０００７】
すなわち、特定の業種や特定の業務等においては、扱う画像によって送信画像データが、特殊な定型フォーマットである場合があり、このような場合に、当該特定フォーマットによっては、不必要な部分であるにもかかわらず、Ａ４やＢ５等の定型の記録紙の記録可能領域を超える画像データ、例えば、線や枠等が含まれていることがある。
【０００８】
このような不必要な部分であっても、従来のファクシミリ装置においては、白ラインではないため、受信画像データを分割あるいは縮小して記録出力することとなり、画像品質が悪化するとともに、記録紙が無駄に消費されるという問題があった。
【０００９】
また、ファクシミリ装置においては、一般に、受信画像に相手先電話番号や相手先名称及び受信年月日等の付加情報を付加して記録するが、特定業務の特定フォーマットの画像のように、受信画像によっては、このような付加情報が邪魔な画像となり、特定業務の特定フォーマットの画像として利用できなくなることがある。
【００１０】
そこで、請求項１記載の発明は、受信画像の分割処理及び縮小処理を拒否する相手先を予め登録し、受信画像が当該登録された相手先からの画像であると、受信画像を等倍で記録出力して、記録領域を超える画像を切り捨てることにより、特殊な定型フォーマットの画像の不必要な画像を記録するために画像の分割や縮小を行って記録品質が劣化することを防止するとともに、記録紙の無駄づかいを防止して、画像品質が良好で、利用性の良好なファクシミリ装置を提供することを目的としている。
【００１１】
請求項２記載の発明は、着信時、相手先が、予め受信画像の分割処理及び縮小処理を拒否するとともに、当該相手先からの受信画像を記録する記録紙サイズの登録されている相手先であると、受信画像の画像サイズに関わらず、当該登録されている記録紙サイズの記録紙に受信画像を等倍で記録出力することにより、特殊な定型フォーマットの画像の不必要な画像を記録するために記録紙サイズの大きい記録紙に記録出力され、小さいサイズの記録紙に複写し直したり、画像品質が劣化することを防止し、画像品質が良好で、利用性の良好なファクシミリ装置を提供することを目的としている。
【００１２】
請求項３記載の発明は、着信時、相手先が、予め受信画像の分割処理及び縮小処理を拒否するとともに、相手先名称及び受信年月日等の付加情報の受信画像への付加を禁止する相手先として登録されている相手先であると、受信画像への付加情報の付加処理を禁止し、当該付加情報の付加されていない受信画像を等倍で記録紙に記録出力することにより、特殊な定型フォーマットの受信画像に付加情報が付加されたり、縮小あるいは分割記録されることにより、受信側にとって邪魔な画像である付加情報が受信画像とともに記録された記録紙を特定目的に使用することができなくなることを防止し、付加情報の付加を禁止する操作を行った後、相手先に再送信を依頼したり、付加情報部分を切り取って複写する等の手間を省くとともに、画像品質が劣化することを防止し、画像品質が良好で、利用性の良好なファクシミリ装置を提供することを目的としている。
【００１５】
【課題を解決するための手段】
請求項１にかかる発明は、受信画像を記録手段により所定サイズの記録紙に記録出力するに際して、前記受信画像のサイズが前記記録紙サイズに記録可能なサイズを超えていると、前記受信画像のサイズに応じて、画像処理手段により前記受信画像の縮小処理あるいは分割処理を施して、前記記録手段により前記記録紙に記録出力させるファクシミリ装置において、前記縮小または分割処理を禁止する特定の相手先の電話番号等の相手先情報を記憶する相手先記憶手段と、着信時、相手先の電話番号等の相手先情報を取得する相手先情報取得手段と、前記相手先情報取得手段の取得した前記相手先情報が前記相手先記憶手段に登録されていると、前記受信画像の画像サイズに関わらず、前記縮小処理または前記分割処理を禁止して、前記記録手段により前記受信画像を前記記録紙に記録出力させる制御手段と、を備えたことを特徴としている。
【００１６】
上記構成によれば、受信画像の分割処理及び縮小処理を拒否する相手先を予め登録し、受信画像が当該登録された相手先からの画像であると、受信画像を等倍で記録出力して、記録領域を超える画像を切り捨てるので、特殊な定型フォーマットの画像の不必要な画像を記録するために画像の分割や縮小を行って記録品質が劣化することを防止することができるとともに、記録紙の無駄づかいを防止することができ、画像品質を良好ものとすることができるとともに、ファクシミリ装置の利用性を向上させることができる。
【００１７】
この場合、例えば、請求項２に記載するように、前記相手先記憶手段は、前記相手先情報とともに当該相手先からの前記受信画像を記憶する記録紙サイズをも設定登録可能であり、前記制御手段は、着信時、前記相手先情報取得手段の取得した前記相手先情報が、前記相手先記憶手段に前記記録紙サイズの設定された相手先として登録されていると、前記受信画像の画像サイズに関わらず、前記記録手段により当該登録されている記録紙サイズの前記記録紙に前記受信画像を等倍で記録出力させるものであってもよい。
【００１８】
上記構成によれば、着信時、相手先が、予め受信画像の分割処理及び縮小処理を拒否するとともに、当該相手先からの受信画像を記録する記録紙サイズの登録されている相手先であると、受信画像の画像サイズに関わらず、当該登録されている記録紙サイズの記録紙に受信画像を等倍で記録出力するので、特殊な定型フォーマットの画像の不必要な画像を記録するために記録紙サイズの大きい記録紙に記録出力され、小さいサイズの記録紙に複写し直したり、画像品質が劣化することを防止することができ、画像品質を良好なものとすることができるとともに、ファクシミリ装置の利用性を向上させることができる。
【００１９】
また、例えば、請求項３に記載するように、前記ファクシミリ装置は、付加情報を前記受信画像に付加する付加手段を、さらに備え、前記相手先記憶手段は、前記相手先情報とともに前記付加情報の前記受信画像への付加を禁止する付加情報付加禁止情報をも設定登録可能であり、前記制御手段は、着信時、前記相手先情報取得手段の取得した前記相手先情報が前記相手先記憶手段に前記付加情報付加禁止情報の設定された相手先として登録されていると、前記付加手段による前記受信画像への前記付加情報の付加処理を禁止し、前記記録手段により当該付加情報の付加されていない前記受信画像を等倍で前記記録紙に記録出力させるものであってもよい。
【００２０】
上記構成によれば、着信時、相手先が、予め受信画像の分割処理及び縮小処理を拒否するとともに、相手先名称及び受信年月日等の付加情報の受信画像への付加を禁止する相手先として登録されている相手先であると、受信画像への付加情報の付加処理を禁止し、当該付加情報の付加されていない受信画像を等倍で記録紙に記録出力するので、特殊な定型フォーマットの受信画像に付加情報が付加されたり、縮小あるいは分割記録されることにより、受信側にとって邪魔な画像である付加情報が受信画像とともに記録された記録紙を特定目的に使用することができなくなることを防止して、付加情報の付加を禁止する操作を行った後、相手先に再送信を依頼したり、付加情報部分を切り取って複写する等の手間を省くことができるとともに、画像品質が劣化することを防止することができ、画像品質を良好ものとすることができるとともに、ファクシミリ装置の利用性を向上させることができる。
【００２５】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２６】
図１〜図６は、本発明のファクシミリ装置の第１の実施の形態を示す図であり、図１は、本発明のファクシミリ装置の第１の実施の形態を適用したファクシミリ装置１の回路ブロック図である。
【００２７】
図１において、ファクシミリ装置１は、スキャナ２、原稿センサ３、プロッタ４、用紙センサ５、相手先比較部６、操作表示部７、ページメモリ８、パラメータメモリ９、時計回路部１０、通信制御部１１、モデム１２、網制御部１３、符号化・復号化部１４、ＣＰＵ（Central Processing Unit ）１５、ＲＯＭ（Read Only Memory）１６、ＲＡＭ（Random Access Memory）１７及びキャラクタジェネレータ１８等を備えており、上記各部は、バス１９により接続されている。
【００２８】
スキャナ２は、例えば、ＣＣＤ(Charge Coupled Device）を利用したラインイメージセンサが用いられており、一般に、ＡＤＦ（自動原稿送り装置）を備えている。ＡＤＦには、複数枚の原稿がセットされ、ＡＤＦは、セットされた原稿を１枚ずつスキャナ２の原稿読取位置に送給する。スキャナ２は、ＡＤＦから搬送されてきた原稿を走査し、原稿の画像を所定の解像度で読み取る。
【００２９】
スキャナ２には、原稿センサ３が設けられており、原稿センサ３は、ＡＤＦへの原稿のセットの有無及びセットされた原稿サイズを検出して、検出結果をＣＰＵ１５に出力する。
【００３０】
プロッタ（記録手段）４としては、例えば、サーマル素子を備えたサーマル記録装置、電子写真式記録装置、あるいは、インク噴射式記録装置等が用いられており、プロッタ４には、１種類あるいは複数種類の所定の記録紙サイズのカット記録紙がセットされている。プロッタ４は、受信画像やスキャナ２で読み取られた画像を記録紙に記録出力する。
【００３１】
プロッタ４には、用紙センサ５が設けられており、用紙センサ５は、プロッタ４にセットされている記録紙のサイズ及び当該機紙の有無を検出して、検出結果をＣＰＵ１５に出力する。
【００３２】
相手先比較部６は、後述するパラメータメモリ９に予め登録されている相手先とファクシミリ受信時、通信制御部１１がファクシミリ制御信号、例えば、ＴＳＩから取得した相手先とが一致するかを比較し、当該比較結果をＣＰＵ１５に出力する。
【００３３】
操作表示部７は、テンキーやスタートキー等の各種操作キーを備えるとともに、ディスプレイ（例えば、液晶ディスプレイやＬＥＤ（Light Emitting Diode）等）を備え、操作キーからは、送信操作等の各種命令が入力され、ディスプレイには、操作キーから入力された命令内容やファクシミリ装置１からオペレータに通知する各種情報が表示される。特に、操作表示部７は、後述する受信画像データ分割・縮小拒否処理を行う相手先の電話番号や名称等の相手先情報の登録操作等を行うのに使用される。
【００３４】
ページメモリ８は、受信画像データをプロッタ４で記録出力する際に、符号化・復号化部１４で復号化された１ページ分の画像データを展開するのに使用される。
【００３５】
パラメータメモリ（相手先記憶手段）９は、読み／書き可能な不揮発性メモリで構成され、送信先電話番号や名称及び自己の電話番号や名称等の各種管理情報を記憶する。特に、パラメータメモリ９は、画像縮小・分割禁止相手先登録領域を有し、当該画像縮小・分割禁止相手先登録領域には、図２に示すように、受信画像データを縮小及び分割することなく、等倍で記録出力させる相手先情報（相手先電話番号や相手先名称等）を記憶する。この画像縮小・分割禁止相手先情報は、操作表示部７のキー操作により登録操作され、ＣＰＵ１５の制御下で、パラメータメモリ９の画像縮小・分割禁止相手先登録領域に登録されるとともに、画像縮小・分割禁止相手先登録領域の最後の相手先情報の後には、ストップコードが設定されている。
【００３６】
時計回路部１０は、発振回路や分周回路等を備え、現在時刻を計時するとともに、ファクシミリ装置１の動作に必要な各種クロックを発生する。
【００３７】
網制御部１３には、回線Ｌ、例えば、公衆電話回線あるいは専用回線が接続されており、網制御部１３は、ＣＰＵ１５の制御下で動作して、回線Ｌからの発呼に対して自動着呼し、また、回線Ｌへの自動発呼処理を行う。
【００３８】
通信制御部（相手先情報取得手段）１１は、回線Ｌを介して接続された通信相手先ファクシミリ装置との間でファクシミリ制御信号の交換を行うとともに、データ変換を行って、ファクシミリ通信手順を実行する。通信制御部１１は、このファクシミリ制御信号、例えば、ＴＳＩ信号（送信端末識別信号）から相手先の電話番号や相手先名称等の相手先情報を取得して、ＣＰＵ１５に出力する。
【００３９】
モデム１２は、ＣＰＵ１５の制御下で動作して、送信時、送信信号を回線Ｌの伝達に適した形態に変調し、また、受信時、回線Ｌから送られてきた変調信号を復調する。
【００４０】
符号化・復号化部１４は、画像メモリを備えているときには、当該画像メモリへの画像データの蓄積の効率化及び画像データの電送時間の短縮化と効率化を図るものであり、送信時には画像データを所定の符号化方式により圧縮（符号化）し、また、受信時には符号化された画像データを原情報に再生（復号化）する。
【００４１】
ＲＯＭ１６は、ファクシミリ装置１の基本処理プログラム、画像回転処理、画像縮小処理及び画像分割処理等の画像処理プログラム及び当該画像縮小及び画像分割を相手先に応じて禁止する画像縮小・分割禁止処理プログラム等の各種プログラムを記憶しているとともに、上記各処理を行うのに必要な各種システムデータやその他のデータを記憶している。
【００４２】
ＲＡＭ１７は、ＣＰＵ１５のワークメモリとして利用されるとともに、各種処理を行う上で必要な状態を記憶する。
【００４３】
ＣＰＵ１５は、ＲＯＭ１６内のプログラムに基づいてＲＡＭ１７をワークメモリとして使用しつつ、ファクシミリ装置１の各部を制御して、ファクシミリ装置１としての基本処理を実行するとともに、相手先比較部６の比較結果に応じて、画像の縮小や分割等の画像処理及び画像縮小・分割禁止処理を実行する。したがって、ＣＰＵ１５及び相手先比較部６は、全体して制御手段として機能する。
【００４４】
なお、上記ＣＰＵ１５、ＲＡＭ１７及びＲＯＭ１６は、ワンチップ化されたマイコンであってもよい。
【００４５】
キャラクタジェネレータ１８は、英字、数字、カナ字、記号、かな字及び漢字等の各文字フォントデータを記憶し、ＣＰＵ１５の制御下で動作して、送信時には、通常のミクストモード通信ではキャラクタデータブロックをＣＣＩＴＴ（国際電信電話諮問委員会）の勧告に従うキャラクタコードによりデータ変換し、受信時には、Ｇ４ファクシミリ通信等で受信するキャラクタコードを所定のキャラクタデータ（文字データ）に変換する。特に、ＣＰＵ１５は、このキャラクタジェネレータ１８の記憶する文字フォントデータを使用して、操作表示部６への文字データの表示や記録紙への相手先情報の記録を行う。
【００４６】
すなわち、ＣＰＵ１５は、通信制御部１１の取得した相手先電話番号や当該電話番号に対応してパラメータメモリ９に登録されている相手先名称等の相手先情報及び時計回路部１０の計時結果から受信年月日を取得して、これらをキャラクタ１８を使用して文字情報に変換し、付加情報として記録紙に記録出力させる。したがって、ＣＰＵ１５は、付加情報を記録紙に記録出力する付加手段として機能する。
【００４７】
次に、本実施の形態の作用を説明する。本実施の形態のファクシミリ装置１は、受信画像の大きさがそのままの状態では、記録紙内に適切に記録出力できない大きさの場合に、受信画像を縮小あるいは分割等の画像処理を施して記録出力するが、特定の相手先からの受信画像に対しては、当該画像縮小・分割を禁止して、等倍で記録するところにその特徴がある。
【００４８】
すなわち、ファクシミリ装置１は、パラメータメモリ９等に図３に示すような画像縮小・分割判断テーブルを記憶しており、画像縮小・分割判断テーブルには、記録紙サイズ毎に、等倍記録を行う最大ライン数と分割することなく縮小処理して記録を行う最大ライン数が設定されている。ＣＰＵ１５は、受信画像データのライン数が当該画像データを記録する記録紙の等倍ライン数と分割縮小ライン数のどの範囲のライン数であるかに応じて、等倍記録するか、例えば、ラインの間引きによる縮小記録するか、分割記録するかを判断して、縮小記録あるいは分割記録する必要がある場合には、受信画像に必要な画像処理を施して、記録出力する。
【００４９】
なお、図３は、ライン数が、副走査線密度３．８５本／ｍｍで、分割縮小ラインは、記録ラインの＋２０％である。例えば、記録紙がＡ４サイズのとき、受信画像データのライン数が、１１４３ラインまでは、等倍記録、１１４４ラインから１３７２ラインまでは、副走査線間引き（ライン間引き）による縮小記録、１３７３ライン以上は、受信画像データを分割して等倍で記録する分割記録であることを示している。
【００５０】
そして、ファクシミリ装置１のオペレータは、上記受信画像の縮小・分割を禁止する相手先を、操作表示部７のキー操作によりパラメータメモリ９の画像縮小・分割禁止相手先登録領域に画像縮小・分割禁止相手先として登録する。
【００５１】
すなわち、ファクシミリ装置１のオペレータは、図４に示すように、操作表示部７のキー操作により、画像縮小・分割禁止相手先登録モードに設定して、画像縮小・分割処理を禁止する相手先の電話番号や名称等の相手先情報を操作表示部７のキー操作により入力する。
【００５２】
ＣＰＵ１５は、画像縮小・分割禁止相手先登録モードに設定されると、相手先登録モードに入り、キー操作に応じて、入力操作された相手先の電話番号や名称等の相手先情報をパラメータメモリ９の画像縮小・分割禁止相手先登録領域に順次登録する（ステップＴ１）。ＣＰＵ１５は、キー入力が終了すると（ステップＴ２）、次相手先の入力があるかチェックし（ステップＴ３）、次相手先の入力があると、同様に当該入力される相手先情報を画像縮小・分割禁止相手先登録領域に登録する（ステップＴ１、Ｔ２）。ステップＴ３で、次相手先の入力がないと、ＣＰＵ１５は、画像縮小・分割禁止相手先登録モード処理を終了する。
【００５３】
ファクシミリ装置１は、上記画像縮小・分割禁止相手先がパラメータメモリ９に登録された状態で、着信があると、受信画像データのサイズ及び相手先がパラメータメモリ９に画像縮小・分割禁止相手先として登録された相手先であるかに応じて、受信画像の縮小・分割を受信画像データの縮小処理あるいは分割処理を行うか否かを判別して、記録処理を行う。
【００５４】
すなわち、図５に示すように、受信側であるファクシミリ装置１（Ｒｘ）は、送信側ファクシミリ装置（Ｔｘ）から着呼があると、ＣＥＤ信号（被呼端末識別信号）を送信した後、ＮＳＦ信号（非標準機能識別信号）、ＣＳＩ信号（被呼端末識別信号）及びＤＩＳ信号（デジタル識別信号）を送出し、送信側ファクシミリ装置からＮＳＳ信号（非標準機能設定信号）、ＴＳＩ信号（送信端末識別信号）及びＤＣＳ信号（ディジタル命令信号）が送信されてきた後、ＴＣＦ信号（トレーニングチェック）を行って、トレーニングチェックを適切に完了すると、ＣＦＲ信号（受信準備確認信号）を送出する。送信側ファクシミリ装置は、このＣＦＲ信号に応じて、画像データを送信し（ＰＩＸ）、最終ページまで画像データを送信すると、ＥＯＰ信号（手順終了信号）を送出する。
【００５５】
受信側であるファクシミリ装置１は、画像データを適切に受信すると、ＭＣＦ信号（メッセージ確認信号）を送信側ファクシミリ装置に送出し、送信側ファクシミリ装置は、ＭＣＦ信号を受信すると、ＤＣＮ信号（切断命令信号）を受信側ファクシミリ装置１に送出して、回線を切断する。ファクシミリ装置１は、ＤＣＮ信号を受信すると、回線を切断して、受信処理を終了する。
【００５６】
そして、ファクシミリ装置１は、送信側ファクシミリ装置から送信されてくるＴＳＩ信号から送信側ファクシミリ装置の電話番号等の相手先情報を取得し、この取得した相手先情報がパラメータメモリ９に画像縮小・分割禁止相手先として登録されているか否かにより、受信画像の縮小・分割を受信画像データの縮小処理あるいは分割処理を行うか否かを判別して、記録処理を行う。
【００５７】
すなわち、ファクシミリ装置１は、着信時、ＣＰＵ１５が、図６に示すように、ＴＳＩ信号から取得した相手先情報がパラメータメモリ９に登録されている画像縮小・分割禁止相手先と一致するか相手先比較部６に比較処理させて当該相手先が特定相手先かチェックし（ステップＳ１）、ＴＳＩ信号から取得した相手先情報がパラメータメモリ９に登録されており、特定相手先であるときには、等倍出力フラグをオンにセットして（ステップＳ２）、画像データの受信を開始する（ステップＳ３）。
【００５８】
また、ステップＳ１で、ＴＳＩ信号から取得した相手先情報がパラメータメモリ９に登録されておらず、特定相手先でないときには、ＣＰＵ１５は、等倍出力フラグをオンにセットすることなく、画像データの受信を開始する（ステップＳ３）。
【００５９】
画像データの受信を開始すると、ＣＰＵ１５は、受信を完了したかチェックし（ステップＳ４）、受信が完了していないときには、画像データの受信を継続して（ステップＳ３）、ステップＳ４で、画像データの受信を完了すると、記録紙を選択した後（ステップＳ５）、受信画像データのライン数が当該記録紙サイズの等倍ラインをオーバーしたかをパラメータメモリ９の画像縮小・分割判断テーブルを参照して判別する（ステップＳ６）。
【００６０】
ステップＳ６で、等倍ラインをオーバーしていないときには、ＣＰＵ１５は、受信画像データを、符号化・復号化部１４に復号化させた後、縮小処理や分割処理を行うことなく、そのまま等倍でページメモリ８に展開して、プロッタ４により記録紙に記録出力させる（ステップＳ７）。
【００６１】
ステップＳ６で、受信画像データのライン数が等倍ラインをオーバーしていると、ＣＰＵ１５は、等倍出力フラグがオンかどうかチェックし（ステップＳ８）、等倍出力フラグがオンのときには、受信画像データを、符号化・復号化部１４に復号化させた後、縮小処理や分割処理を行うことなく、そのまま等倍でページメモリ８に展開して、超過した画像データを切り捨て（ステップＳ９）、ページメモリ８に展開した分の画像データによりプロッタ４で画像を記録紙に記録出力させる（ステップＳ７）。なお、この場合、切り捨てる画像データは、ページメモリ８に展開しきれなかった最後の方のラインに限るものではなく、受信画像データの最初の方のラインであってもよい。
【００６２】
そして、ステップＳ８で、等倍出力フラグがオフのときには、ＣＰＵ１５は、受信画像データのライン数に基づいて、パラメータメモリ９の画像縮小・分割判断テーブルを参照して、縮小処理か分割処理かを判別する（ステップＳ１０、Ｓ１１）。
【００６３】
受信画像データのライン数が等倍ライン数を超え分割縮小ライン数以下のときには、ＣＰＵ１５は、縮小であると判断して、符号化・復号化部１４に復号化させた後、受信画像データのライン間引きを行って、縮小処理した画像データをページメモリ８に展開し、プロッタ４により記録紙に記録出力させる（ステップＳ１２）。
【００６４】
受信画像データのライン数が分割縮小ライン数を超えているときには、ＣＰＵ１５は、分割であると判断して、符号化・復号化部１４に復号化させた後、受信画像データを分割して、分割処理した画像データをページメモリ８に展開し、プロッタ４により２枚以上の記録紙に分割して記録出力させる（ステップＳ１３）。
【００６５】
このように、本実施の形態によれば、受信画像の分割処理及び縮小処理を拒否する相手先を予めパラメータメモリ９に登録し、受信画像の相手先が当該登録された相手先であると、受信画像を等倍で記録出力して、記録領域を超える画像を切り捨てる。したがって、特殊な定型フォーマットの画像の不必要な画像を記録するために画像の分割や縮小を行って記録品質が劣化することを防止することができるとともに、記録紙の無駄づかいを防止することができ、画像品質を良好ものとすることができるとともに、ファクシミリ装置１の利用性を向上させることができる。
【００６６】
なお、上記第２の実施の形態においては、相手先が特定相手か否かに応じて、予め登録されている記録紙サイズの記録紙に受信画像を等倍で記録する場合に適用しているが、特定相手からの受信画像を等倍で記録する場合に限るものではなく、一般的に、受信画像を記録紙を選択して記録する場合に、同様に適用することができる。
【００６７】
図７〜図９は、本発明のファクシミリ装置の第２の実施の形態を示す図であり、本実施の形態は、相手先毎に予め登録した記録紙サイズの記録紙に等倍で記録出力するもので、請求項２及び請求項４に対応するものである。
【００６８】
なお、本実施の形態は、上記第１の実施の形態のファクシミリ装置と同様のファクシミリ装置に適用したものであり、本実施の形態の説明においては、上記第１の実施の形態で用いた符号をそのまま用いて、以下説明する。
【００６９】
本実施の形態のファクシミリ装置１は、そのパラメータメモリ（記録紙サイズ記憶手段）９に、画像縮小・分割禁止相手先登録領域を有し、当該画像縮小・分割禁止相手先登録領域には、図７に示すように、受信画像データを縮小及び分割することなく、等倍で記録出力させる相手先情報（相手先電話番号や相手先名称等）と当該相手先からの受信画像データを記録する記録紙サイズが登録される。この画像縮小・分割禁止相手先情報及び記録紙サイズは、操作表示部７のキー操作により登録操作され、ＣＰＵ１５の制御下で、パラメータメモリ９の画像縮小・分割禁止相手先登録領域に登録されるとともに、画像縮小・分割禁止相手先登録領域の最後の相手先情報の後には、ストップコードが設定されている。
【００７０】
すなわち、ファクシミリ装置１のオペレータは、図８に示すように、操作表示部７のキー操作により、画像縮小・分割禁止相手先登録モードに設定して、画像縮小・分割処理を禁止する相手先の電話番号や名称等の相手先情報と当該相手先からの受信画像データを記録する記録紙サイズを操作表示部７のキー操作により入力する。
【００７１】
ＣＰＵ１５は、画像縮小・分割禁止相手先登録モードに設定されると、相手先登録モードに入り、キー操作に応じて、入力操作された相手先の電話番号や名称等の相手先情報をパラメータメモリ９の画像縮小・分割禁止相手先登録領域の相手先欄に順次登録する（ステップＴ１１）。ＣＰＵ１５は、キー入力が終了すると（ステップＴ１２）、記録紙サイズのサイズ選択が行われるのを待って、記録紙サイズの選択が行われると、当該選択された記録紙サイズを当該相手先の指定サイズ欄に登録する（ステップＴ１３）。ＣＰＵ１５は、記録紙サイズの選択操作が完了すると（ステップＴ１４）、次相手先の入力があるかチェックし（ステップＴ１５）、次相手先の入力があると、同様に当該入力される相手先情報及び記録紙サイズを画像縮小・分割禁止相手先登録領域の相手先欄及び指定サイズ欄に登録する（ステップＴ１１〜Ｔ１４）。入力が終了して、ステップＴ１５で、次相手先の入力がないと、ＣＰＵ１５は、画像縮小・分割禁止相手先登録モード処理を終了する。
【００７２】
ファクシミリ装置１は、上記画像縮小・分割禁止相手先及び記録紙サイズがパラメータメモリ９に登録された状態で、着信があると、受信画像データのサイズ及び相手先がパラメータメモリ９に画像縮小・分割禁止相手先として登録された相手先であるかに応じて、受信画像の縮小・分割を受信画像データの縮小処理あるいは分割処理を行うか否かを判別して、記録処理を行う。
【００７３】
すなわち、ファクシミリ装置１は、着信時、ＣＰＵ１５が、図９に示すように、ＴＳＩ信号から取得した相手先情報がパラメータメモリ９に登録されている画像縮小・分割禁止相手先と一致するか相手先比較部６に比較処理させて当該相手先が特定相手先かチェックし（ステップＳ２１）、ＴＳＩ信号から取得した相手先情報がパラメータメモリ９に登録されており、特定相手先であるときには、固定サイズ出力フラグをオンにセットして（ステップＳ２２）、パラメータメモリ９の相手先に対応して登録されている記録紙サイズを登録記録紙としてＲＡＭ１７に記憶し（ステップＳ２３）、画像データの受信を開始する（ステップＳ２４）。
【００７４】
また、ステップＳ２１で、ＴＳＩ信号から取得した相手先情報がパラメータメモリ９に登録されておらず、特定相手先でないときには、ＣＰＵ１５は、固定サイズ出力フラグをオンにセットすることなく、画像データの受信を開始する（ステップＳ２４）。
【００７５】
画像データの受信を開始すると、ＣＰＵ１５は、受信を完了したかチェックし（ステップＳ２５）、受信が完了していないときには、画像データの受信を継続して（ステップＳ２４）、ステップＳ２５で、画像データの受信を完了すると、固定サイズ出力フラグがオンかチェックする（ステップＳ２６）。
【００７６】
ステップＳ２６で、固定サイズ出力フラグがオンのときには、ＣＰＵ１５は、記録に使用する記録紙サイズとして、ステップＳ２３で設定した登録記録紙サイズを設定し（ステップＳ２７）、ステップＳ２６で、固定サイズ出力フラグがオフのときには、記録に使用する記録紙を選択する（ステップＳ２８）。
【００７７】
記録に使用する記録紙の選択、設定が完了すると、ＣＰＵ１５は、受信画像データのライン数が当該記録紙サイズの等倍ラインをオーバーしたかをパラメータメモリ９の画像縮小・分割判断テーブルを参照して判別する（ステップＳ２９）。
【００７８】
ステップＳ２９で、等倍ラインをオーバーしていないときには、ＣＰＵ１５は、受信画像データを、符号化・復号化部１４に復号化させた後、縮小処理や分割処理を行うことなく、そのまま等倍でページメモリ８に展開して、ページメモリ８に展開した画像データによりプロッタ４で受信画像を記録紙に記録出力させる（ステップＳ３０）。
【００７９】
ステップＳ２９で、受信画像データのライン数が等倍ラインをオーバーしていると、ＣＰＵ１５は、固定サイズ出力フラグがオンかどうかチェックし（ステップＳ３１）、固定サイズ出力フラグがオンのときには、受信画像データを、符号化・復号化部１４に復号化させた後、縮小処理や分割処理を行うことなく、そのまま等倍でページメモリ８に展開して、ページメモリ８の領域を超えた画像データを切り捨て（ステップＳ３２）、プロッタ４により記録紙に記録出力させる（ステップＳ３０）。なお、この場合、切り捨てる画像データは、ページメモリ８に展開しきれなかった最後の方のラインに限るものではなく、受信画像データの最初の方のラインであってもよい。
【００８０】
そして、ステップＳ３１で、固定サイズ出力フラグがオフのときには、ＣＰＵ１５は、受信画像データのライン数に基づいて、パラメータメモリ９の画像縮小・分割判断テーブルを参照して、縮小処理か分割処理かを判別する（ステップＳ３３、Ｓ３４）。
【００８１】
受信画像データのライン数が等倍ライン数を超え分割縮小ライン数以下のときには、ＣＰＵ１５は、縮小であると判断して、符号化・復号化部１４に復号化させた後、受信画像データのライン間引きを行って、縮小処理した画像データをページメモリ８に展開し、プロッタ４により記録紙に縮小した受信画像を記録出力させる（ステップＳ３５）。
【００８２】
受信画像データのライン数が分割縮小ライン数を超えているときには、ＣＰＵ１５は、分割であると判断して、符号化・復号化部１４に復号化させた後、受信画像データを分割して、分割処理した画像データをページメモリ８に展開し、プロッタ４により２枚以上の記録紙に受信画像を分割して記録出力させる（ステップＳ３６）。
【００８３】
このように、本実施の形態によれば、着信時、相手先が、予め受信画像の分割処理及び縮小処理を拒否するとともに、当該相手先からの受信画像を記録する記録紙サイズの登録されている相手先であると、受信画像の画像サイズに関わらず、当該登録されている記録紙サイズの記録紙に受信画像を等倍で記録出力する。したがって、特殊な定型フォーマットの画像の不必要な画像を記録するために記録紙サイズの大きい記録紙に記録出力され、小さいサイズの記録紙に複写し直したり、画像品質が劣化することを防止することができ、画像品質を良好なものとすることができるとともに、ファクシミリ装置１の利用性を向上させることができる。
【００８４】
図１０は、本発明のファクシミリ装置の第３の実施の形態を示す図であり、本実施の形態は、相手先が予め登録された相手先であると、受信画像への相手先電話番号、相手先名称及び受信時刻等の付加情報の付加・記録を省略するもので、請求項３及び請求項５に対応するものである。
【００８５】
なお、本実施の形態は、上記第１の実施の形態のファクシミリ装置と同様のファクシミリ装置に適用したものであり、本実施の形態の説明においては、上記第１の実施の形態で用いた符号をそのまま用いて、以下説明する。
【００８６】
ファクシミリ装置１は、着信時にＴＳＩ信号から取得した相手先情報や当該相手先情報に対応してパラメータメモリ９に予め登録されているその他の相手先情報及び時計回路部１０の計時する受信日時等を、受信画像データの所定位置に付加情報として付加して受信画像データとともに記録紙に記録出力する機能を有している。
【００８７】
本実施の形態のファクシミリ装置１は、パラメータメモリ（付加禁止相手先記憶手段）９に、特定相手先登録領域を有し、当該特定相手先登録領域には、図２に示したように、受信画像データに上記付加情報付加することなく、記録出力させる相手先情報（相手先電話番号や相手先名称等）が登録されている。
【００８８】
ファクシミリ装置１は、受信時、当該相手先が特定相手先か否か応じて、付加情報を付加したり、付加しなかったりしている。
【００８９】
すなわち、ファクシミリ装置１は、着信時、ＣＰＵ１５が、図１０に示すように、ＴＳＩ信号から取得した相手先情報がパラメータメモリ９の特定相手先登録領域に登録されている特定相手先と一致するか相手先比較部６に比較処理させて当該相手先が特定相手先かチェックし（ステップＰ１）、ＴＳＩ信号から取得した相手先情報がパラメータメモリ９に登録されており、特定相手先であるときには、ＲＡＭ１７の付加情報フラグをオフにセットして（ステップＰ２）、画像データの受信を開始する（ステップＰ３）。
【００９０】
また、ステップＰ１で、ＴＳＩ信号から取得した相手先情報がパラメータメモリ９に登録されておらず、特定相手先でないときには、ＣＰＵ１５は、付加情報フラグをオンにセットして（ステップＰ４）、画像データの受信を開始する（ステップＰ３）。
【００９１】
画像データの受信を開始すると、ＣＰＵ１５は、受信を完了したかチェックし（ステップＰ５）、受信が完了していないときには、画像データの受信を継続して（ステップＰ３）、ステップＰ５で、画像データの受信を完了すると、付加情報フラグがオンかチェックする（ステップＰ６）。
【００９２】
ステップＰ６で、付加情報フラグがオンのときには、ＣＰＵ１５は、付加情報の受信画像データへの加工処理を行い（ステップＰ７）、付加情報を付加した受信画像データをプロッタ４で記録紙に記録出力する（ステップＰ７）。すなわち、ＣＰＵ１５は、受信画像データを符号化・復号化部１４で復号化した後、ページメモリ８に展開し、ページメモリ８に展開した受信画像データの所定位置、例えば、先頭行に、付加情報を付加する。ＣＰＵ１５は、当該付加情報の付加した受信画像データをページメモリ８から読み出してプロッタ４に転送し、プロッタ４で記録紙に付加情報の付加した受信画像を記録させる。
【００９３】
ステップＰ６で、付加情報フラグがオフのときには、ＣＰＵ１５は、受信画像データをページメモリ８に展開し、付加情報を付加することなく、そのままプロッタ４に転送して、プロッタ４で、付加情報の付加しない受信画像を記録させる。
【００９４】
このように、着信時、相手先が、相手先名称及び受信年月日等の付加情報の受信画像への付加を禁止する相手先として登録されている相手先であると、受信画像への付加情報の付加処理を禁止し、当該付加情報の付加されていない受信画像を記録紙に記録出力する。したがって、特殊な定型フォーマットの受信画像に付加情報が付加されることにより、受信側にとって邪魔な画像である付加情報が受信画像とともに記録された記録紙を特定目的に使用することができなくなることを防止して、付加情報の付加を禁止する操作を行った後、相手先に再送信を依頼したり、付加情報部分を切り取って複写する等の手間を省くことができるとともに、画像品質が劣化することを防止することができ、画像品質を良好ものとすることができるとともに、ファクシミリ装置１の利用性を向上させることができる。
【００９５】
なお、上記第３の実施の形態においては、付加情報を受信画像データに付加するか否かのみの処理を行っているが、上記第１の実施の形態の特定相手先か否かに応じた受信画像データの縮小、分解処理を行うか否かの画像処理や第２の実施の形態の特定相手先か否かに応じた記録紙サイズの指定処理を、特定相手先か否かに応じて付加情報を受信画像データに付加するか否かの処理を同時に行ってもよい。
【００９６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９７】
【発明の効果】
請求項１記載の発明のファクシミリ装置によれば、受信画像の分割処理及び縮小処理を拒否する相手先を予め登録し、受信画像が当該登録された相手先からの画像であると、受信画像を等倍で記録出力して、記録領域を超える画像を切り捨てるので、特殊な定型フォーマットの画像の不必要な画像を記録するために画像の分割や縮小を行って記録品質が劣化することを防止することができるとともに、記録紙の無駄づかいを防止することができ、画像品質を良好ものとすることができるとともに、ファクシミリ装置の利用性を向上させることができる。
【００９８】
請求項２記載の発明のファクシミリ装置によれば、着信時、相手先が、予め受信画像の分割処理及び縮小処理を拒否するとともに、当該相手先からの受信画像を記録する記録紙サイズの登録されている相手先であると、受信画像の画像サイズに関わらず、当該登録されている記録紙サイズの記録紙に受信画像を等倍で記録出力するので、特殊な定型フォーマットの画像の不必要な画像を記録するために記録紙サイズの大きい記録紙に記録出力され、小さいサイズの記録紙に複写し直したり、画像品質が劣化することを防止することができ、画像品質を良好なものとすることができるとともに、ファクシミリ装置の利用性を向上させることができる。
【００９９】
請求項３記載の発明のファクシミリ装置によれば、着信時、相手先が、予め受信画像の分割処理及び縮小処理を拒否するとともに、相手先名称及び受信年月日等の付加情報の受信画像への付加を禁止する相手先として登録されている相手先であると、受信画像への付加情報の付加処理を禁止し、当該付加情報の付加されていない受信画像を等倍で記録紙に記録出力するので、特殊な定型フォーマットの受信画像に付加情報が付加されたり、縮小あるいは分割記録されることにより、受信側にとって邪魔な画像である付加情報が受信画像とともに記録された記録紙を特定目的に使用することができなくなることを防止して、付加情報の付加を禁止する操作を行った後、相手先に再送信を依頼したり、付加情報部分を切り取って複写する等の手間を省くことができるとともに、画像品質が劣化することを防止することができ、画像品質を良好ものとすることができるとともに、ファクシミリ装置の利用性を向上させることができる。
【図面の簡単な説明】
【図１】本発明のファクシミリ装置の第１の実施の形態を適用したファクシミリ装置の回路ブロック図。
【図２】図１のファクシミリ装置のパラメータメモリの画像縮小・分割禁止相手先登録領域の画像縮小・分割禁止相手先の登録状態を示す図。
【図３】図１のファクシミリ装置のパラメータメモリの画像縮小・分割判断テーブルの一例を示す図。
【図４】図１のファクシミリ装置による画像縮小・分割禁止相手先登録処理を示すフローチャート。
【図５】ファクシミリの通信制御手順を示す図。
【図６】図１のファクシミリ装置による画像縮小・分割禁止処理を示すフローチャート。
【図７】本発明のファクシミリ装置の第２の実施の形態を適用したファクシミリ装置のパラメータメモリの画像縮小・分割禁止相手先登録領域の画像縮小・分割禁止相手先及び記録紙サイズの登録状態を示す図。
【図８】本発明のファクシミリ装置の第２の実施の形態を適用したファクシミリ装置による画像縮小・分割禁止相手先及び記録紙サイズ登録処理を示すフローチャート。
【図９】本発明のファクシミリ装置の第２の実施の形態を適用したファクシミリ装置による画像縮小・分割禁止及び記録紙サイズ設定処理を示すフローチャート。
【図１０】本発明のファクシミリ装置の第３の実施の形態を適用したファクシミリ装置による付加情報付加制御処理を示すフローチャート。
【符号の説明】
１  ファクシミリ装置
２  スキャナ
３  原稿センサ
４  プロッタ
５  用紙センサ
６  相手先比較部
７  操作表示部
８  ページメモリ
９  パラメータメモリ
１０  時計回路部
１１  通信制御部
１２  モデム
１３  網制御部
１４  符号化・復号化部
１５  ＣＰＵ
１６  ＲＯＭ
１７  ＲＡＭ
１８  キャラクタジェネレータ
１９  バス
【図１】
0003712504.tif 000002
【図２】
0003712504.tif 000003
【図３】
0003712504.tif 000004
【図４】
0003712504.tif 000005
【図７】
0003712504.tif 000006
【図５】
0003712504.tif 000007
【図６】
0003712504.tif 000008
【図８】
0003712504.tif 000009
【図９】
0003712504.tif 000010
【図１０】
0003712504.tif 000011